(57)【要約】【課題】より高いデザイン性又は機能性を実現できる排水装置の接続構造を提供する。【解決手段】槽体１００の底面部１０１に排水装置を接続する接続構造１０に関する。接続構造１０は、槽体１００の底面部１０１に形成された排水孔１０３と、排水孔１０３に排水装置を接続可能な接続具３０と、を備える。排水孔１０３は、内周を下方に垂下した垂下壁１０５が形成され、接続具３０は、垂下壁１０５内の下部にて固定される。【選択図】図３
2015068056.tif 000002
【特許請求の範囲】
【請求項１】
槽体の底面部に排水装置を接続する構造であって、
前記底面部に形成された排水孔と、
前記排水孔に前記排水装置を接続可能な接続具と、を備え、
前記排水孔は、内周を下方に垂下した垂下壁が形成され、
前記接続具は、前記垂下壁内の下部にて固定されることを特徴とする排水装置の接続構造。
【請求項２】
前記垂下壁の内周面と前記接続具とを被覆するように前記排水孔内に配置されたカバー体を更に備えることを特徴とする請求項１に記載の排水装置の接続構造。
【請求項３】
前記カバー体は、前記排水孔の上端縁より下側に収まるように形成されることを特徴とする請求項２に記載の排水装置の接続構造。
【請求項４】
前記カバー体は、前記排水装置を構成する有底筒状の本体内に挿入される封水筒であることを特徴とする請求項２または３に記載の排水装置の接続構造。
【請求項５】
槽体の底面部に排水装置を接続する構造であって、
前記底面部に段付孔として形成された排水孔と、
前記排水孔の段差面に上部が係止され、前記排水装置を下部に取り付け可能な接続具と、
前記段差面と前記接続具との係止箇所より上方で該接続具を被覆するように前記排水孔内に配置されたカバー体と、を備え、
前記接続具と前記カバー体は、前記接続具が外筒、前記カバー体が内筒となる入れ子構造で前記排水孔に挿通されることを特徴とする排水装置の接続構造。
【発明の詳細な説明】
【技術分野】
【０００１】
本発明は、シンク、洗面ボウル等の槽体の底面部に排水装置を接続する接続構造に関する。
【背景技術】
【０００２】
家は多くの人にとって最も長い時間を過ごす場所である。過ごしやすさは、住宅設備の機能だけでなくデザインにもよる。キッチンに用いられるシンク等の槽体についても、利用者は使いやすさとともにスタイリッシュなデザインを求める傾向が強い。
【０００３】
槽体の底面部には排水孔が形成される。排水孔の下側には、人の目に触れない箇所で排水装置が接続される。この接続構造では、通常、排水孔の周縁部に口金を取り付け、槽体の下側でこの口金に排水装置が接続される（特許文献１参照）。口金の上面は、排水孔の上端縁の近傍に露出した状態で固定される。
【先行技術文献】
【特許文献】
【０００４】
【特許文献１】特開２０１２−１９０７号
【発明の概要】
【発明が解決しようとする課題】
【０００５】
特許文献１の構造では、口金の上面の全体が槽体の底面に露出して見える。より高いデザイン性を実現するために、槽体の底面に露出する部分の見た目をさらにすっきりさせる余地がある。さらに、特許文献１の構造では、排水孔の上端縁の近傍に口金の上面が露出し、槽体の底面と口金の上面との間に段差がある。この段差には水垢やゴミかす等のゴミが溜まり易く、ゴミの除去のために掃除を要する。より高い機能性を実現するために、ゴミが溜まり難くなるように改善の余地がある。
【０００６】
本発明は、このような課題に鑑みてなされたものであり、その目的は、より高いデザイン性又は機能性を実現できる排水装置の接続構造を提供することにある。
【課題を解決するための手段】
【０００７】
上述の課題を解決するために、本発明のある態様は、排水装置の接続構造に関する。排水装置の接続構造は、槽体の底面部に排水装置を接続する構造であって、底面部に形成された排水孔と、排水孔に排水装置を接続可能な接続具と、を備え、排水孔は、内周を下方に垂下した垂下壁が形成され、接続具は、垂下壁内の下部にて固定されることを特徴とする。
【０００８】
この態様によれば、口金として機能する接続具が垂下壁内の下部にて固定されるため、槽体の底面を見たときに、排水孔の上端縁に接続具の一部が隠れ易くなり、接続具が露出して見える範囲が小さくなる。よって、槽体の底面に接続具が見え難くなり、接続具により槽体に排水装置を接続した場合でも、槽体の排水孔周りの外観がすっきりとなり、より高いデザイン性を実現できる。
【０００９】
また、前述の態様において、垂下壁の内周面と接続具とを被覆するように排水孔内に配置されたカバー体を更に備えてもよい。この態様によれば、槽体の底面を見たときに、垂下壁や接続具の露出して見える範囲が大幅に小さくなり、槽体の排水孔周りの外観がよりすっきりとなる。
【００１０】
また、前述の態様において、カバー体は、排水孔の上端縁より下側に収まるように形成されてもよい。この態様によれば、槽体の底面から排水孔の内側にかけての流水経路においてゴミが溜まる段差が生じ難くなり、ゴミ溜まり箇所が減って排水孔周りを清掃し易くなり、より高い機能性を実現できる。
【００１１】
また、前述の態様において、カバー体は、排水装置を構成する有底筒状の本体内に挿入される封水筒であってもよい。この態様によれば、封水筒としての機能を発揮しつつ、上述のように排水孔周りの外観をすっきりとさせ、更にはゴミ溜まり箇所を減らす効果を発揮できる。
【００１２】
また、本発明の別の態様に係る排水装置の接続構造は、槽体の底面部に排水装置を接続する構造であって、底面部に段付孔として形成された排水孔と、排水孔の段差面に上部が係止され、排水装置を下部に取り付け可能な接続具と、段差面と接続具との係止箇所より上方で接続具を被覆するように排水孔内に配置されたカバー体と、を備え、接続具とカバー体は、接続具が外筒、カバー体が内筒となる入れ子構造で排水孔に挿通されることを特徴とする。
【００１３】
この態様によれば、槽体の底面を見たときに、接続具の露出して見える範囲が大幅に小さくなり、槽体の排水孔周りの外観がすっきりとなり、より高いデザイン性を実現できる。
【発明の効果】
【００１４】
本発明によれば、槽体の底面に接続具が見え難くなり、槽体の排水孔周りの外観がすっきりとなり、より高いデザイン性を実現できる。
【図面の簡単な説明】
【００１５】
【図１】第１実施形態に係る排水装置の接続構造を示す正面断面図である。
【図２】第１実施形態に係る排水装置の接続構造を示す拡大正面断面図である。
【図３】第１実施形態に係る排水装置の接続構造の分解図である。
【図４】（ａ）は上側接続部材に下側接続部材が装着された状態を示す平面断面図であり、（ｂ）は（ａ）のＡ−Ａ線断面図であり、（ｃ）は（ｂ）のＢ部拡大図である。
【図５】第１実施形態に係る上部接続部材から下部接続部材を取り外した状態を示す平面断面図である。
【図６】第１実施形態に係る封水筒を示す正面図である。
【図７】第２実施形態に係る排水装置の接続構造を示す正面断面図である。
【図８】第２実施形態に係る排水装置の接続構造を示す拡大正面断面図である。
【図９】第３実施形態に係る管継手を示す正面断面図である。
【図１０】第３実施形態に係る管継手の使用状態を示す正面断面図である。
【発明を実施するための形態】
【００１６】
［第１の実施の形態］
図１は、第１実施形態に係る排水装置１１０の接続構造１０が用いられる槽体１００を示し、図２は、その接続構造１０の分解図を示す。槽体１００は、家屋のキッチン等に設置されるシンクを示す。槽体１００は、吐水等された水を受けられればよく、この他に洗面ボウル等でもよい。槽体１００の素材は、図示の例において、樹脂材料としての人工大理石が用いられているが、他の樹脂材料でもよいし、ステンレス等の金属材料でもよい。
【００１７】
槽体１００の底面部１０１には、上下方向に貫通する排水孔１０３が形成される。槽体１００の底面１０１ａは、排水孔１０３周りにおいて、その排水孔１０３に向かうにつれて下り勾配となるように傾斜して設けられる。
【００１８】
排水孔１０３は、垂下壁１０５と、係合壁１０７とを含む。垂下壁１０５は、排水孔１０３の上端縁１０３ａから内周を下方に垂下して筒状に形成される。係合壁１０７は、垂下壁１０５の下部から排水孔１０３の径方向内側に環状に突出して設けられる。係合壁１０７は、その内径が垂下壁１０５の内径より小さく形成される。排水孔１０３は、垂下壁１０５と係合壁１０７とが上下に並んだ段付孔として形成される。垂下壁１０５と係合壁１０７とは、槽体１００の底面部１０１の一部として一体成形される。
【００１９】
排水孔１０３には、後述の接続構造１０により排水装置１１０が接続される。排水装置１１０は中継管１４７を介して下水側の下水管（図示せず）に接続される。槽体１００内で使用された水は、排水孔１０３を通して排水装置１１０の本体１２１（後述する）に流れ、排水装置１１０の本体１２１は、排水孔１０３から流れた水を中継管１４７を通して外部である下水管に排出する。
【００２０】
本実施形態に係る排水装置１１０は、封水筒１３１を用いた排水トラップである。排水装置１１０は、連結体１１１と、本体１２１と、封水筒１３１とを備える。
【００２１】
連結体１１１は、排水装置１１０の一部を構成し、後述の接続具３０と本体１２１とを繋ぐものとして設けられる。連結体１１１は、図示の例では、本体１２１と別体に設けられる。連結体１１１は、図３に示すように、排水孔１０３の周縁部１０９の下側に配置され、後述の接続具３０により、排水孔１０３に対して固定される。この周縁部１０９は、排水孔１０３の周りに槽体１００の一部として設けられた部位であり、垂下壁１０５及び係合壁１０７と、排水孔１０３の上端縁１０３ａ周りに設けられた環状部分１０１ｂとの両方が含まれる。
【００２２】
連結体１１１は、被固定部１１２と、上側嵌合部１１３と、下側嵌合部１１５と、上側フランジ部１１７とを含む。連結体１１１は、樹脂材料を素材としており、これらが一体成形される。
【００２３】
被固定部１１２は、環状に形成され、その内側に挿通孔１１２ａが形成される。上側嵌合部１１３は、被固定部１１２の上側において、上方に開口して下方に窪む凹みとして設けられ、その内側に筒状の垂下壁１０５が嵌合される。下側嵌合部１１５は、被固定部１１２の外周側において、下方に開口して上方に窪む筒状の溝として設けられ、その内側に排水装置１１０の本体１２１の上端部１２１ｂが嵌合される。上側フランジ部１１７は、下側嵌合部１１５の外周側に設けられる。
【００２４】
図１、図２に戻り、本体１２１は、上端側に流入口としての開口が設けられた有底筒状に形成され、その側部に流出口１２３が形成される。本体１２１の流出口１２３には排出管１２５が設けられ、排出管１２５の先端部には中継管１４７が接続される。
【００２５】
本体１２１は、その上部の外周面に下側フランジ部１２７が設けられる。下側フランジ部１２７は、連結体１１１の上側フランジ部１１７に当接され、これらを留め具１４９により挟み込んで連結体１１１に本体１２１が固定される。連結体１１１の下側嵌合部１１５と本体１２１とは、何れか一方の周面（図示は本体１２１の外周面）に環状溝が形成され、その環状溝内に配置されたシール部材としてのＯリング１２９によりシールされる。
【００２６】
封水筒１３１は、排水孔１０３を通して本体１２１内に上側から挿通され、後述の接続具３０により、排水孔１０３に対して上下に固定される。封水筒１３１の下端部１３１ａは、本体１２１の底面１２１ａから上側に間隔を空けた位置であって、本体１２１の流出口１２３より下側に配置される。排水装置１１０は、封水筒１３１内に第１流路１４１が設けられ、その封水筒１３１の下部と本体１２１との間に第２流路１４３が設けられる。第１流路１４１は、封水筒１３１の上端から下端まで続く。第２流路１４３は、封水筒１３１の下端から本体１２１の流出口１２３まで続く。
【００２７】
第１流路１４１と第２流路１４３とには、本体１２１の流出口１２３より下方に封水１４５が貯留される。つまり、排水トラップとしての排水装置１１０は、その流入側である槽体１００側から流出側である下水側にかけての流路の一部に、空気の流れを遮断する封水１４５が貯留される。この封水１４５により、下水側から槽体１００の内外への異臭や衛生害虫等の侵入が防止される。
【００２８】
排水装置１１０の接続構造１０は、図３に示すように、排水孔１０３と、連結体１１１と、封水筒１３１の他に、接続具３０と、上側シール部材５０（第１シール部材）と、下側シール部材６０（第２シール部材）とを含む。
【００２９】
接続具３０は、排水孔１０３に排水装置１１０を接続する口金として機能する。接続具３０は、上側接続部材３１（第１接続部材）と、下側接続部材４１（第２接続部材）とを備える。上側接続部材３１は、外筒部３３と、下側係止部３５とを備える。上側接続部材３１は、図示の例では、ステンレス等の金属材料を素材としており、外筒部３３と下側係止部３５とが一体成形される。
【００３０】
外筒部３３は、排水孔１０３に上側から挿通される。また、外筒部３３は、排水孔１０３の下側において、連結体１１１の被固定部１１２の挿通孔１１２ａに上側から挿通される。外筒部３３の外周面及び内周面は、本実施形態において、その上下方向にかけて段差のない直線状に延びた曲面として形成される。外筒部３３は、その外径が排水孔１０３の内径より僅かに小さくなるように形成される。
【００３１】
下側係止部３５は、外筒部３３の上端部に外向きフランジとして環状に設けられる。下側係止部３５の外径は、排水孔１０３の垂下壁１０５の内径より小さく、係合壁１０７の内径より大きくなるように形成される。下側係止部３５は、排水孔１０３の係合壁１０７の上面に上側シール部材５０を介して上側から係止される。つまり、接続具３０の上部は、段付孔としての排水孔１０３の段差面１０８に係止される。
【００３２】
上側接続部材３１の上端部３１ａは、垂下壁１０５内の下部に配置される。上側接続部材３１は、下側係止部３５の係止により、垂下壁１０５内の下部にて固定される。つまり、接続具３０の上端部３０ａは、垂下壁１０５内の下部にて固定される。上側接続部材３１の上端部３１ａは、垂下壁１０５の上下方向の中央位置１０５ａより下方に収まるように配置される。これらにより、封水筒１３１を取り外して槽体１００の底面１０１ａを見たときに、排水孔１０３の上端縁１０３ａに上側接続部材３１の一部が隠れ、接続具３０が露出して見え難くなる。また、垂下壁１０５の内周面１０５ｂは、図示のように、鉛直方向に沿って形成されると好ましい。排水孔１０３の上端縁１０３ａに上側接続部材３１の一部が隠れ易くなり、接続具３０を更に見え難くできる。
【００３３】
図４（ａ）は、上側接続部材３１に下側接続部材４１が装着された状態を示す平面断面図であり、（ｂ）は（ａ）のＡ−Ａ線断面図であり、（ｃ）は（ｂ）のＢ部拡大図である。なお、図４（ａ）は（ｂ）のＣ−Ｃ線断面図でもある。また、図５は、上側接続部材３１から下側接続部材４１を取り外した状態を示す図である。
【００３４】
下側接続部材４１は、筒状部４２を含み、樹脂材料等を素材として成形される。筒状部４２は、その内側に上側接続部材３１の外筒部３３が配置される。
【００３５】
下側接続部材４１は、その周方向に分割した複数の分割体４３（図示は２つ）を結合して構成される。各分割体４３は、上側接続部材３１の外筒部３３を取り囲むように配置される。各分割体４３は、その周方向の対向する端部の一方に径方向に突出する突起としての爪部４３ａが設けられ、他方に径方向に窪む凹みとしての受け部４３ｂが設けられる。各分割体４３は、一方の分割体４３の爪部４３ａが他方の分割体４３の受け部４３ｂに係合されて結合される。
【００３６】
複数の分割体４３の互いに対向する端部を遠ざけるようにある程度の力を加えて移動させると、分割体４３の周方向端部の弾性変形を伴い受け部４３ｂ内から爪部４３ａが抜け出る。一方、複数の分割体４３の互いに対向する端部を近づけるように移動させると、分割体４３の周方向端部の弾性変形を伴い受け部４３ｂ内に爪部４３ａが差し込まれ、爪部４３ａが受け部４３ｂに係合されて結合される。つまり、複数の分割体４３は脱着可能に結合される。
【００３７】
下側接続部材４１の筒状部４２には、排水孔１０３の径方向内側に突起としての係合部４５が設けられる。上側接続部材３１の外筒部３３には、排水孔１０３の下側において、貫通孔３３ａにより構成される被係合部が設けられる。貫通孔３３ａは、外筒部３３を径方向に貫通する。
【００３８】
下側接続部材４１の係合部４５は、複数の分割体４３を結合したときに、外筒部３３の貫通孔３３ａを貫通して排水孔１０３の径方向内側に向けて突出し、貫通孔３３ａに嵌合される。係合部４５は貫通孔３３ａの底面に係合し、その係合により上側接続部材３１に下側接続部材４１が上下方向に位置決めされる。また、係合部４５が貫通孔３３ａに嵌合するため、上側接続部材３１に下側接続部材４１が周方向に位置決めされる。
【００３９】
複数の分割体４３の結合を解除するように移動させると、下側接続部材４１の係合部４５が貫通孔３３ａから径方向に抜き出される。一方、下側接続部材４１の係合部４５を貫通孔３３ａに差し込むように移動させると、係合部４５が貫通孔３３ａに嵌合されて、その底面に係合される。つまり、下側接続部材４１を構成する複数の分割体４３は、排水孔１０３の径方向に移動させると、被係合部としての貫通孔３３ａに係合部４５が抜き差しされ、その抜き差しにより上側接続部材３１の外筒部３３に脱着可能に装着される。
【００４０】
下側接続部材４１の係合部４５は、外筒部３３の貫通孔３３ａを貫通して排水孔１０３の径方向内側に向けて突出し、外筒部３３の内周面に段差としての嵌合凸部３７が設けられる。嵌合凸部３７は、後述のように、封水筒１３１の筒側嵌合部１３３ｂが嵌合される。
【００４１】
図３に戻り、下側接続部材４１の筒状部４２の外周面には、その上端部から径方向外側に突出する環状部４２ｂが設けられる。下側接続部材４１が上側接続部材３１に装着される装着位置にあるとき、連結体１１１の被固定部１１２が下側接続部材４１の環状部４２ｂの上面に載置された状態で係合される。このとき、連結体１１１と周縁部１０９とが接続具３０により挟み込んで固定される。つまり、接続具３０は、下部に排水装置１１０の一部を取り付け可能であり、下側接続部材４１の環状部４２ｂは、排水装置１１０の一部を挟み込みにより固定して取り付け可能な取付部４７として設けられる。
【００４２】
上側シール部材５０、下側シール部材６０は、排水装置１１０の本体１２１内から排水孔１０３と接続具３０との間を通って槽体１００内に流れる水を遮断するために設けられる。上側シール部材５０は、排水孔１０３の垂下壁１０５と、上側接続部材３１の外筒部３３との間に配置される。下側シール部材６０は、連結体１１１の被固定部１１２と、上側接続部材３１の外筒部３３との間に配置される。これらシール部材５０、６０は、図示の例において、弾性部材としてのＯリングにより構成される。上側シール部材５０は、排水孔１０３の径方向両側から垂下壁１０５の内周面と外筒部３３の外周面とにより押し潰され、その復元力によりこれらの間をシールする。下側シール部材６０は、排水孔１０３の径方向両側から被固定部１１２の内周面と外筒部３３の外周面とにより押し潰され、その復元力によりこれらの間をシールする。
【００４３】
封水筒１３１は、内筒部１３３と、上側係止部１３５とを備える。内筒部１３３は、上側接続部材３１の外筒部３３より上下方向に長く形成され、その外筒部３３内に挿通される。接続具３０と封水筒１３１は、接続具３０の外筒部３３が外筒、封水筒１３１の内筒部１３３が内筒となる入れ子構造で排水孔１０３に挿通される。内筒部１３３は、その上部の外周側に環状溝部１３３ａが設けられ、その環状溝部１３３ａには環状のシール部材としてのパッキン１３７が嵌め入れられる。封水筒１３１と上側接続部材３１とはパッキン１３７によりシールされる。
【００４４】
図６は、封水筒１３１を示す正面図である。内筒部１３３は、環状溝部１３３ａの下方に筒側嵌合部１３３ｂが設けられる。筒側嵌合部１３３ｂは、内筒部１３３の周方向の一方（図６の左側）から他方（図６の右側）にかけて窪むように、その周方向に沿った溝状に設けられる。図３に戻り、筒側嵌合部１３３ｂには、接続具３０の外筒部３３内に設けられた嵌合凸部３７が嵌合される。筒側嵌合部１３３ｂと嵌合凸部３７との嵌合により、排水孔１０３に対して封水筒１３１が上下に固定される。筒側嵌合部１３３ｂがなす溝の開口側（図６の左側）に嵌合凸部３７が近づくように、接続具３０と封水筒１３１とを周方向に相対移動させると、筒側嵌合部１３３ｂと嵌合凸部３７との嵌合が解除される。この状態から封水筒１３１を上側に移動させると、接続具３０の外筒部３３から封水筒１３１を抜き出せる。
【００４５】
上側係止部１３５は、内筒部１３３の上端部に設けられる。上側係止部１３５は、上側接続部材３１の下側係止部３５に上側から係止される。封水筒１３１は、上側接続部材３１に上側係止部１３５が係止位置にあるとき、上側接続部材３１を被覆するように排水孔１０３内に配置される。上側接続部材３１は、その上端部３１ａと、外筒部３３の内周面が封水筒１３１の上側係止部１３５と内筒部１３３とにより被覆される。換言すると、上側係止部１３５は、段付孔としての排水孔１０３の段差面１０８と上側接続部材３１の下側係止部３５との係止箇所より上方で、その上側接続部材３１の上端部３１ａを被覆するように排水孔１０３内に配置される。また、封水筒１３１は、上述のように、接続具３０の外筒部３３を外筒、封水筒１３１の内筒部１３３を内筒とした入れ子構造であるため、その外筒部３３の内周面が封水筒１３１の内筒部１３３により被覆される。これらにより、上側接続部材３１は、槽体１００の内側の露出部分が封水筒１３１により被覆され、槽体１００の底面１０１ａに露出して見える範囲が大幅に小さくなる。
【００４６】
上側係止部１３５は、垂下壁１０５の内周面１０５ｂを被覆するように、排水孔１０３内に配置される。上側係止部１３５は、その外周面１３５ａが垂下壁１０５の内周面１０５ｂに沿うように形成され、その外周面１３５ａが垂下壁１０５の内周面１０５ｂに対向して配置されて、垂下壁１０５の内周面１０５ｂが被覆される。槽体１００の底面１０１ａを見たとき、垂下壁１０５の内周面１０５ｂが露出して見える範囲が大幅に小さくなる。また、垂下壁１０５と上側係止部１３５との間の隙間が抑えられ、これらの間に微細なゴミが溜まり難くなる。
【００４７】
上側係止部１３５は、垂下壁１０５の内周面１０５ｂを被覆しつつ、排水孔１０３の上端縁１０３ａより下側に収まるように形成される。槽体１００内で排水孔１０３に向けてゴミとともに水が流れたとき、槽体１００の底面１０１ａから排水孔１０３の内側にかけての流水経路において、ゴミが溜まる段差が生じ難くなる。なお、上側係止部１３５の上端位置は、図示において、排水孔１０３の上端縁１０３ａから下方に間隔を空けて設けられているが、排水孔１０３の上端縁１０３ａにその上端位置を合わせるように設けられてもよい。
【００４８】
封水筒１３１は、その上面にテーパー面１３１ｂが形成される。このテーパー面１３１ｂは、その上方から下方に向かう途中に凹凸がない先細りとなる円錐状に形成される。封水筒１３１は、その内側に筒状面１３１ｃが設けられる。筒状面１３１ｃは、テーパー面１３１ｂの下方において上下に連続的につながるように設けられ、その上下方向にかけて段差のない直線状に延びた曲面として形成される。テーパー面１３１ｂは、その勾配が排水孔１０３周りの槽体１００の底面１０１ａの勾配より大きくなるように形成される。槽体１００の底面１０１ａを見たとき、テーパー面１３１ｂが露出して見える範囲が小さくなる。このテーパー面１３１ｂの勾配は、たとえば、水平面に対して、４５°以上９０°未満としてもよい。
【００４９】
上側係止部１３５は、その外周面１３５ａと内周面であるテーパー面１３１ｂとが互いに傾斜して設けられ、それらの外周面１３５ａとテーパー面１３１ｂとにより、その上端部に角部１３５ｂが設けられる。この角部１３５ｂを設けたうえで、上側係止部１３５の外周面１３５ａが垂下壁１０５の内周面１０５ｂを被覆しているため、槽体１００の内側には、上側係止部１３５の外周面１３５ａが露出せず、上側係止部１３５の内周面のみが露出する。槽体１００の底面１０１ａを見たとき、封水筒１３１がすっきりとした外観となる。
【００５０】
以上の接続構造１０によれば、口金として機能する接続具３０が垂下壁１０５内の下部にて固定される。このため、封水筒１３１を取り外して槽体１００の底面１０１ａを見たときに、排水孔１０３の上端縁１０３ａに接続具３０の一部が隠れ易くなり、接続具３０が露出して見える範囲が小さくなる。よって、槽体１００の底面１０１ａに接続具３０が見え難くなり、接続具３０により槽体１００に排水装置１１０を接続した場合でも、槽体１００の排水孔１０３周りの外観がすっきりとなり、より高いデザイン性を実現できる。
【００５１】
また、垂下壁１０５の内周面１０５ｂと接続具３０とを被覆するようにカバー体としての封水筒１３１が配置されている。このため、槽体１００の底面１０１ａを見たとき、垂下壁１０５や接続具３０が露出して見える範囲が大幅に小さくなり、槽体１００の排水孔１０３周りの外観がよりすっきりとする。また、垂下壁１０５や接続具３０が封水筒１３１により被覆されるため、これらの間の隙間が抑えられ、ゴミ溜まり箇所が減って排水孔１０３周りを清掃し易くなる。
【００５２】
また、封水筒１３１は、垂下壁１０５の内周面１０５ｂを被覆しつつ、排水孔１０３の上端縁１０３ａより下側に収まるように形成される。よって、槽体１００の底面１０１ａから排水孔１０３の内側にかけての流水経路においてゴミが溜まる段差が生じ難くなり、ゴミ溜まり箇所が減って排水孔１０３周りを清掃し易くなり、より高い機能性を実現できる。
【００５３】
また、カバー体は封水筒１３１であるため、封水筒１３１としての機能を発揮しつつ、上述のように排水孔１０３周りの外観をすっきりとさせ、更にはゴミ溜まり箇所を減らす効果を発揮できる。
【００５４】
なお、封水筒１３１は、その内側に周方向に間隔を空けて板状の複数の摘み部１３１ｄが設けられる。図３では一つの摘み部１３１ｄのみを図示する。ユーザーは、摘み部１３１ｄを把持した状態で封水筒１３１を移動等させて、接続具３０の外筒部３３から封水筒１３１を抜き出せる。
【００５５】
また、下側接続部材４１の筒状部４２には、上側接続部材３１の下面と対向する支持部４２ｃが設けられる。支持部４２ｃは、上側接続部材３１の外筒部３３の形状に合わせた形状、つまり、環状に形成され、その上面に上側接続部材３１の下面が接触する。上側接続部材３１に下側接続部材４１を装着するとき、この支持部４２ｃを上側接続部材３１の下面に接触させると、上側接続部材３１に対する下側接続部材４１の位置合せをし易くなり、その装着時の作業性が良好となる。また、支持部４２ｃが上側接続部材３１の下面に接触するため、上側接続部材３１に対する下側接続部材４１の固定度が増し、連結体１１１等の排水装置１１０が上下方向に揺れ動こうとしたとき、その揺れ動きが効果的に抑えられる。
【００５６】
［第２の実施の形態］
図７は、第２実施形態に係る排水装置１１０の接続構造１０を示す。第２実施形態では、主として、排水装置１１０の構成と、封水筒１３１の構成とが相違している。まず、排水装置１１０の構成の相違点から説明する。なお、以下の実施の形態では、第１の実施の形態で説明した要素と同一の要素に同一の符号を付し、重複する説明を省略する。
【００５７】
排水装置１１０は、水車ユニット１５０と、羽根車ユニット１６０とを更に備える。水車ユニット１５０は、本体１２１の下部に接続される水車ハウジング１５１を備える。水車ハウジング１５１には、その内部に設けられた収納室１５１ａに水を流入させる流入管（図示せず）と、槽体１００内に吐水する水栓（図示せず）に収納室１５１ａ内の水を流出させる流出管１５３とが接続される。水車ハウジング１５１は、その内部の収納室１５１ａ内に水車１５５が収納される。水車ユニット１５０は、水栓から吐水される水の流れにより、収納室１５１ａ内の水車１５５を一定方向に回転駆動させる回転駆動装置として構成される。
【００５８】
羽根車ユニット１６０は、回転軸１６１と、羽根車１６３とを備える。回転軸１６１は、排水孔１０３の軸方向に沿って配置される。回転軸１６１は、封水筒１３１に設けられた筒状の軸受部１３９や、本体１２１の底面に設けられた軸受（図示せず）により、その軸周りに回転自在に保持される。回転軸１６１は、その下端部に回転軸１６１周りの周方向に間隔を空けて複数の磁石１６１ａが設けられる。回転軸１６１の複数の磁石１６１ａは、水車ユニット１５０に設けられ、水車１５５の回転と一体に回転可能な複数の磁石１５５ａに磁気カップリングされている。回転駆動装置としての水車１５５が回転すると、その回転力が磁気カップリングを通じて回転軸１６１に伝達され、水車１５５の回転と同期するように回転軸１６１が回転駆動させられる。
【００５９】
羽根車１６３は、排水孔１０３の上側に配置される。羽根車１６３は、回転軸１６１の上端部に着脱可能に取り付けられ、回転軸１６１と一体に回転可能に設けられる。羽根車１６３は、封水筒１３１の上面であるテーパー面１３１ｂより上側に配置され、回転軸１６１周りの周方向に間隔を空けて設けられた複数の回転羽根１６３ａを備える。羽根車１６３が回転すると、封水筒１３１の上面まで流れてきた水を各回転羽根１６３ａにより径方向外側に押し出す。このとき、各回転羽根１６３ａの回転により押し出された水に渦流が生じ、その渦流が槽体１００の底面に勢いよく当たり、その底面に付着したヌメリ等の汚れが除去されて洗浄効果が得られる。なお、押し出された水は、主として、回転羽根１６３ａより羽根車１６３の中心寄りの部位に上下方向に貫通して設けられた通水孔１６３ｂを通して封水筒１３１内に流れ込む。
【００６０】
ここで、本実施形態に係る接続構造１０では、図８に示すように、封水筒１３１の上面に形成されるテーパー面１３１ｂが、第１実施形態と比較して、その勾配が極めて緩やかとなっている。これは、封水筒１３１の上面まで流れてきた水を保持し易くして、各回転羽根１６３ａにより水を径方向外側に押し出し易くするためである。このテーパー面１３１ｂの勾配は、図示の例では、排水孔１０３周りの槽体１００の底面１０１ａの勾配に合わせるように設けられる。また、封水筒１３１の上面は、テーパー面１３１ｂを設けずに水平面と平行に設けてもよい。
【００６１】
［第３の実施の形態］
次に、排水装置の接続構造ではなく、排水装置の排出管と下水管とを接続する管継手を説明する。
【００６２】
排水装置の排出管と下水管とは、通常、それらの軸芯位置が軸直交方向にずれるような、芯ずれがある状態で配置される。この芯ずれの程度や、排出管と下水管との距離は、施工現場によって変化する場合がある。このため、この芯ずれや距離の変化に対応するため、通常、排水装置と下水管とは可撓性のある蛇腹ホースにより接続される。
【００６３】
ここで、排水が流れる排水装置や下水管は、詰まり、汚れ除去のために高圧洗浄されることがある。排水装置の排出管と下水管とを軟質な蛇腹ホースにより接続すると、この高圧洗浄により蛇腹ホースが破れ易く、高圧洗浄に適さないという問題があった。
【００６４】
そこで、以下においては、排水装置の排出管と下水管との芯ずれや距離の変化に対応しつつ、高圧洗浄にも適した管継手を提案する。
【００６５】
図９（ａ）は、第３実施形態に係る管継手７０を示し、図１０はその管継手７０の使用状態を示す。管継手７０は、図１０に示すように、排水装置１１０の排出管１２５と下水管１７１とを接続する。排出管１２５は、排水装置１１０を通じて水が排出される。下水管１７１は、槽体１００の下側において、その一端部１７１ａが床面１７３から上側に突出して設けられ、その他端側は下水道につながる。
【００６６】
管継手７０は、導入管７１と、本体管７３と、導出管７９とを備える。本体管７３は、その一端側（図中上側）に設けられた第１接続管７５と、その他端側（図中下側）に設けられた第２接続管７７とを含む。各管は、樹脂等の可撓性のない硬質素材を材料として構成される。
【００６７】
導入管７１は、その一端部７１ａが排出管１２５に留め具１４９等を用いて接続される。導入管７１は、図９（ａ）に示すように、その他端部７１ｂに凹状の内球面部７１ｃが設けられる。第１接続管７５は、その一端部７５ａに凸状の外球面部７５ｂが設けられる。第１接続管７５は、導入管７１の内球面部７１ｃ内に外球面部７５ｂが収容されて、その一端部７５ａが導入管７１に接続される。
【００６８】
導入管７１の内球面部７１ｃには、その外周面に雄ねじ部７１ｅが設けられ、その雄ねじ部７１ｅには第１固定リング８１に設けられた雌ねじ部８１ａがねじ込まれる。第１固定リング８１は、内球面部７１ｃの先端面と対向するストッパ面８１ｂが設けられ、その内球面部７１ｃの先端面とストッパ面８１ｂとの間には第１くさび体８２が配置される。
【００６９】
第１くさび体８２は、ストッパ面８１ｂから離れるにつれて尖るように環状に形成される。第１くさび体８２は、導入管７１の雄ねじ部７１ｅに第１固定リング８１の雌ねじ部８１ａをねじ込み、内球面部７１ｃの先端面とストッパ面８１ｂとが近づいたとき、内球面部７１ｃと外球面部７５ｂとの間に圧入される。第１くさび体８２の圧入を解除すると、導入管７１の内球面部７１ｃ内で第１接続管７５の外球面部７５ｂが回動可能となる。第１くさび体８２を圧入させると、導入管７１に第１接続管７５が回動不能となり、導入管７１に本体管７３が固定される。また、第１くさび体８２の圧入により、第１くさび体８２がシール部材として機能し、導入管７１と第１接続管７５との間がシールされる。
【００７０】
第１接続管７５は、その他端部７５ｃが第２接続管７７の一端部７７ａから内側に挿通される。第２接続管７７の一端部７７ａには、その外周面に雄ねじ部７７ｂが設けられ、その雄ねじ部７７ｂには第２固定リング８３に設けられた雌ねじ部８３ａがねじ込まれる。第２固定リング８３は、第２接続管７７の一端面と対向するストッパ面８３ｂが設けられ、その一端面とストッパ面８３ｂとの間には第２くさび体８４が配置される。
【００７１】
第２くさび体８４は、ストッパ面８３ｂから離れるにつれて尖るように環状に形成される。第２くさび体８４は、第２接続管７７の雄ねじ部７７ｂに第２固定リング８３の雌ねじ部８３ａをねじ込み、第２接続管７７の一端面とストッパ面８３ｂとが近づいたとき、第１接続管７５の外周面と第２接続管７７の内周面との間に圧入される。第２くさび体８４の圧入を解除すると、第２接続管７７が第１接続管７５の軸方向にスライド可能となる。第２くさび体８４を圧入させると、第１接続管７５に第２接続管７７がスライド不能となり、第１接続管７５と第２接続管７７とが固定される。また、第２くさび体８４の圧入により、第２くさび体８４がシール部材として機能し、第１接続管７５と第２接続管７７との間がシールされる。
【００７２】
導出管７９は、その一端部７９ａに凹状の内球面部７９ｂが設けられる。第２接続管７７は、その他端部７７ｄに凸状の外球面部７７ｅが設けられる。導出管７９は、その内球面部７９ｂ内に第２接続管７７の外球面部７７ｅが収容されて、その一端部７９ａが第２接続管７７に接続される。
【００７３】
導出管７９の内球面部７９ｂには、その外周面に雄ねじ部７９ｃが設けられ、その雄ねじ部７９ｃには第３固定リング８５に設けられた雌ねじ部８５ａがねじ込まれる。第３固定リング８５は、内球面部７９ｂの先端面と対向するストッパ面８５ｂが設けられ、その内球面部７９ｂの先端面とストッパ面８５ｂとの間には第３くさび体８６が配置される。
【００７４】
第３くさび体８６は、ストッパ面８５ｂから離れるにつれて尖るように環状に形成される。第３くさび体８６は、導出管７９の雄ねじ部７９ｃに第３固定リング８５の雌ねじ部８５ａをねじ込み、内球面部７９ｂの先端面とストッパ面８５ｂとが近づいたとき、内球面部７９ｂの内面と外球面部７７ｅとの間に圧入される。第３くさび体８６の圧入を解除すると、導出管７９の内球面部７９ｂ内で第２接続管７７の外球面部７７ｅが回動可能となる。第３くさび体８６を圧入させると、導出管７９に第２接続管７７が回動不能となり、本体管７３に導出管７９が固定される。また、第３くさび体８６の圧入により、第３くさび体８６がシール部材として機能し、第２接続管７７と導出管７９との間がシールされる。
【００７５】
導出管７９は、その他端部７９ｅに下方に開口して上方に窪むように設けられた、筒状の複数（図示は２つ）の嵌合凹部８０が同芯状に設けられる。内周側の嵌合凹部８０には、たとえば、外径、内径が比較的に小さい下水管１７１の端部が嵌合される。外周側の嵌合凹部８０には、その外径、内径が小さい下水管１７１よりも外径、内径が大きく、寸法の異なる下水管１７１の端部が嵌合される。つまり、複数の嵌合凹部８０には、複数種の寸法の異なる下水管１７１の端部が嵌合可能である。複数の嵌合凹部８０のうち、最も内周側の嵌合凹部８０は、その内周面を形成する周壁部８０ａの内面によって、排水装置１１０から下水管１７１まで流れる水の流路の一部が形成される。
【００７６】
以上の実施形態に係る管継手７０の使用方法の一例を説明する。図１０に示すように、排水装置１１０の排出管１２５と下水管１７１との軸心位置が水平方向にずれている場合を考える。
【００７７】
まず、管継手７０の本体管７３から導入管７１を取り外しておき、その導入管７１の一端部７１ａを排出管１２５に接続する。そして、導入管７１の他端部７１ｂに管継手７０の本体管７３を接続する。このとき、各固定リング８１、８３、８５のねじ込みは緩めておく。この状態で、導出管７９を水平方向や上下方向に移動させて、導出管７９の嵌合凹部８０に下水管１７１の端部を嵌合させる。このとき、第１固定リング８１、８３、８５等のねじ込みが緩められているため、導入管７１に対して本体管７３が回動したり、本体管７３に対して導出管７９が回動して、各管の角度が調整される。また、第１接続管７５に対して第２接続管７７がスライドして、導入管７１と導出管７９との間の距離が調整される。各管の角度や導入管７１と導出管７９との距離の調整により、排出管１２５と下水管１７１との軸心が水平方向にずれていても、そのずれによらずこれらを接続できる。
【００７８】
導出管７９の嵌合凹部８０に下水管１７１の端部を嵌合させたら、各固定リング８１、８３、８５のねじ込みを強め、各管の角度や距離を固定する。なお、第１接続管７５に対して第２接続管７７をスライドさせるとき、第１接続管７５が長すぎて、導入管７１と導出管７９との距離を小さくできない場合がある。この場合、図１０（ｂ）に示すように、第１接続管７５の他端部７５ｃから一部にかけての範囲を必要に応じて切断し、第１接続管７５を短くすれば、導入管７１と導出管７９との距離を小さくできる。
【００７９】
以上の実施形態に係る管継手７０によれば、各管の角度や、導入管７１と導出管７９との距離を調整できる。よって、排出管１２５と下水管１７１との芯ずれや距離が施工現場によって変化していても、その変化に対応して排出管１２５と下水管１７１とを接続できる。また、排出管１２５と下水管１７１とが可撓性のない硬質な複数の管により接続されるため、高圧洗浄にも耐えることができる。
【００８０】
また、導出管７９の他端側に複数の嵌合凹部８０が設けられているため、下水管１７１の寸法に応じて別寸法の管継手７０を用いる必要がなくなり、単一の管継手７０を用いて様々な寸法の下水管１７１に対応できる。
【００８１】
また、複数の嵌合凹部８０のうち、最も内周側の嵌合凹部８０の内周面を形成する周壁部８０ａの内面によって、排水装置１１０から下水管１７１まで流れる水の流路の一部が形成される。よって、各管同士のシールが不十分でも、排水装置１１０から下水管１７１にかけての水の流れにより水が溜まるような箇所ができなくなり、嵌合凹部８０と下水管１７１との間を通って水が漏れにくくなる。
【００８２】
なお、導入管７１の他端部７１ｂに外球面部を設け、第１接続管７５の一端部７５ａに内球面部を設けてもよい。いずれにしても、導入管７１と第１接続管７５の互いに対向する端部の一方に外球面部が設けられ、他方に内球面部が設けられ、これらが回動可能に接続されればよい。また、これらは公知の自在継手により回動可能に接続されてもよい。
【００８３】
また、第２接続管７７の他端部７８ｃに内球面部を設け、導出管７９の一端部７９ａに外球面部を設けてもよい。いずれにしても、導出管７９と第２接続管７７の互いに対向する端部の一方に外球面部が設けられ、他方に内球面部が設け、これらが回動可能に接続されればよい。また、これらは公知の自在継手により回動可能に接続されてもよい。
【００８４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００８５】
以上の実施形態に係る排水装置１１０は、封水筒１３１を用いた排水トラップを説明したが、排水装置１１０は、封水筒１３１が用いられていなくともよく、Ｓトラップ、椀トラップ等の排水トラップにより構成されてもよい。また、排水装置１１０は、槽体１００の排水孔１０３から流れた水を外部に排出できればよく、排水トラップとして構成されていなくともよい。
【００８６】
また、排水装置１１０の連結体１１１は、本体１２１と別体に設けられた例を説明した。しかし、連結体１１１は、少なくとも接続具３０に本体１２１を繋ぐことができるものとして設けられていればよく、連結体１１１と本体１２１が一体成形により一体に設けられてもよい。また、排水装置１１０の連結体１１１と本体１２１とは、上側フランジ部１１７と下側フランジ部１２７とを留め具１４９により挟み込んで固定する例を説明したが、その固定方法は、これに限定されず、この他にもボルトナット等を用いて連結してもよい。
【００８７】
排水孔１０３は、垂下壁１０５と、係合壁１０７とを含むものを説明したが、係合壁１０７が含められていなくともよい。排水孔１０３は、段付孔として形成されていれば、垂下壁１０５と係合壁１０７が含められていなくともよい。排水孔１０３の周縁部１０９と連結体１１１とは、これらの間にスペーサーを配置し、そのスペーサーを挟んで上下に重なるように配置されてもよい。
【００８８】
カバー体として封水筒１３１を説明したが、カバー体は、封水筒１３１と別体に設けられてもよい。
【００８９】
接続具３０は、上側接続部材３１と下側接続部材４１との二部材が脱着可能に装着されるものを説明したが、これらが一体に設けられていてもよい。下側接続部材４１の取付部４７は、排水装置１１０を挟み込みにより脱着可能に固定した例を説明したが、排水装置１１０をねじ込み、嵌め合い等により脱着可能に固定してもよい。
【符号の説明】
【００９０】
１０  接続構造、３０  接続具、３０ａ  上端部、３１  上部接続部材（第１接続部材）、３１ａ  上端部、３３  外筒部、３５  下側係止部、３７  嵌合凸部、４１  下部接続部材（第２接続部材）、４３  分割体、４５  係合部、５０  上部シール部材（第１シール部材）、６０  下部シール部材（第２シール部材）、１００  槽体、１０１  底面部、１０３  排水孔、１０３ａ  上端縁、１０３ｂ  下端縁、１０５  垂下壁、１０７  係合壁、１０９  周縁部、１１０  排水装置、１１１  連結体、１１２  被固定部、１１３  上側嵌合部、１１５  下側嵌合部、１２１  本体、１２３  流出口、１２５  排出管、１２９  Ｏリング、１３１  封水筒（カバー体）、１３３  内筒部、１３３ｂ  筒側嵌合部、１３５  上側係止部、１３７  パッキン、１３９  軸受部、１５０  水車ユニット、１５１  水車ハウジング、１５３  流出管、１５５  水車、１５５ａ  磁石、１６０  羽根車ユニット、１６１  回転軸、１６１ａ  磁石、１６３  羽根車
【図１】
2015068056.tif 000003
【図２】
2015068056.tif 000004
【図３】
2015068056.tif 000005
【図４】
2015068056.tif 000006
【図５】
2015068056.tif 000007
【図６】
2015068056.tif 000008
【図７】
2015068056.tif 000009
【図８】
2015068056.tif 000010
【図９】
2015068056.tif 000011
【図１０】
2015068056.tif 000012